(57)【要約】【課題】端末間において、通話中にデータを共有することができる。【解決手段】携帯端末２０と携帯端末２２との間の通話処理中に、一方の携帯端末から他方の携帯端末へコンテンツＩＤ送信するとともに、双方の携帯端末（携帯端末２０及び携帯端末２２）において、該コンテンツＩＤのコンテンツの画像を各々の表示部２６及び表示部３６へ表示する。このため、携帯端末２０と携帯端末２２との間の通話処理中に、同一のコンテンツの画像を各々の携帯端末の表示部に表示することができ、通話中に同一のコンテンツを共有することが可能となる。【選択図】  図１
2004297250.tif 000002
【特許請求の範囲】
【請求項１】
受信側端末と通信回線を介して音声による通話、画像の通信、及び文字情報の通信の内、少なくとも１つを実行するための送信側端末において、
前記受信側端末との間に通信回線を介する接続関係を構築する送信側接続手段と、
接続中に前記受信側端末との間で共有するデータを指示する指示手段と、
前記指示手段により指示されたデータの格納情報を生成すると共に、生成した格納情報を前記受信側端末へ送信する送信制御手段と、
を備えたことを特徴とする送信側端末。
【請求項２】
前記共有するデータを記憶するための記憶手段をさらに備え、前記送信制御手段は、前記記憶手段に記憶されたデータを前記格納情報として前記受信側端末へ送信することを特徴とする請求項１に記載の送信側端末。
【請求項３】
前記送信制御手段は、通信回線に接続され且つ前記共有するデータを記憶した外部記憶手段を識別するための識別子を予め記憶し、前記識別子を前記格納情報として前記受信側端末へ送信することを特徴とする請求項１に記載の送信側端末。
【請求項４】
前記共有するデータを表示するための表示手段をさらに備えた請求項１乃至請求項３の何れか１項に記載の送信側端末。
【請求項５】
請求項１乃至請求項４の何れか１項に記載の送信側端末と接続するための受信側端末において、
前記送信側端末との間に通信回線を介する接続関係を構築する受信側接続手段と、
前記格納情報を受信する受信手段と、
前記受信手段により受信した格納情報に基づいて、前記送信側端末と共有するデータを生成すると共に、生成されたデータを提示する提示手段と、
を備えたことを特徴とする受信側端末。
【請求項６】
請求項１乃至請求項４の何れか１項に記載の送信側端末と、
請求項５に記載の受信側端末と、
前記送信側端末と前記受信側端末とを接続する通信回線と、
から構成された情報共有システム。
【発明の詳細な説明】
【０００１】
【発明の属する技術分野】
本発明は送信側端末、受信側端末、及び情報共有システムに係り、特に、端末間で通信回線を介して音声による通話、画像の通信、及び文字情報の通信の内、少なくとも１つを実行する、送信側端末、受信側端末、及び情報共有システムに関する。
【０００２】
【従来の技術】
近年、インターネット等の情報通信網の普及に伴い、画像データを含む様々なコンテンツが、インターネットを介して携帯電話機へ配信されるようになっている。一例としてフォトネットでは、パーソナル・コンピュータ（ＰＣ）や携帯電話機からアップロードされた画像データをウェブサーバに予め保管し、定期的に携帯電話機へ画像を配信するサービスを提供している（非特許文献１参照）。  また、携帯電話機へ画像データを配信するサービスの一例として、ｉモードの画像配信サービスも知られている（非特許文献２参照）。
【０００３】
【非特許文献１】
2004297250.tif 000003
【非特許文献２】
2004297250.tif 000004
【０００４】
【発明が解決しようとする課題】
フォトネットのサービスを利用すれば、サーバに保管された画像データは、サーバにアクセスされることにより携帯電話機へ提供される。同様に、携帯電話機への画像配信サービスによれば、提携業者が提供する画像データは、予め配信登録された携帯電話機各々へ配信される。
【０００５】
しかしながら、画像データが提供された携帯電話機を使用するユーザ間で、提供された同一の画像データについての話題進行や、同一の画像データの鑑賞についての要望がなされることがあった。
【０００６】
本発明は上記事実を考慮して成されたもので、端末間において、通話中にデータを共有することが可能な送信側端末、受信側端末、及び情報共有システムを提供することを目的とする。
【０００７】
【課題を解決するための手段】
上記目的を達成するために本発明の送信側端末は、受信側端末と通信回線を介して音声による通話、画像の通信、及び文字情報の通信の内、少なくとも１つを実行するための送信側端末において、前記受信側端末との間に通信回線を介する接続関係を構築する送信側接続手段と、接続中に前記受信側端末との間で共有するデータを指示する指示手段と、前記指示手段により指示されたデータの格納情報を生成すると共に、生成した格納情報を前記受信側端末へ送信する送信制御手段と、を備えたことを特徴としている。
【０００８】
本発明の送信側端末は、受信側端末と通信回線を介して音声による通話、画像の通信、及び文字情報の通信の内、少なくとも１つを実行するためのものであり、送信側接続手段を備えている。送信側端末及び受信側端末の一例には、携帯電話等の携帯端末や固定電話等の固定端末等がある。送信側接続手段は、受信側端末との間で通信回線を介して接続関係を構築するためのものである。送信側接続手段によって、送信側端末と受信側端末とは通信回線を介して接続され、通話または通信が可能となる。指示手段は、受信側端末との間で共有するデータを指示するためのものである。指示手段による指示は、送信側接続手段により送信側端末と受信側端末との間で接続中になされる。指示手段によって指示されるデータは、静止画像や動画像等の画像データやテキストデータ等である。指示手段によって受信側端末との間で共有するデータの指示がなされると、送信制御手段は、指示されたデータの格納情報を生成し、生成した格納情報を受信側端末へ送信する。格納情報は、共有するデータや、共有するデータを記憶した記憶場所を示すデータである。受信側端末は、送信側端末との接続中に格納情報を受信することができる。受信側端末は、受信した格納情報に応じて、共有するデータを得ることができる。
【０００９】
このように、送信側端末と受信側端末との間で接続関係が構築され、通信回線を介して接続中に、データの格納情報を送信側端末から受信側端末へ送信することができる。従って、送信側端末と受信側端末との接続中に、送信側端末によって指示されたデータに応じた通話または通信を促すことができる。
【００１０】
前記送信側端末は、前記共有するデータを記憶するための記憶手段を更に備えることができ、前記送信制御手段は、前記記憶手段に記憶されたデータを前記格納情報として前記受信側端末へ送信することができる。
【００１１】
送信側端末は、共有するデータを記憶するための記憶手段を更に備えることができる。受信側端末との接続中に指示手段によって受信側端末との間で共有するデータの指示がなされると、送信制御手段は、記憶手段に記憶された全ての共有対象データを受信側端末へ送信する。受信側端末は、送信側端末と共有するデータを受信することができる。このため、受信側端末は、送信側端末との通話または通信中に、送信側端末と共有するデータを直接受信することができる。
【００１２】
前記送信制御手段は、通信回線に接続され且つ前記共有するデータを記憶した外部記憶手段を識別するための識別子を予め記憶することができ、前記識別子を前記格納情報として前記受信側端末へ送信することができる。
【００１３】
送信側端末と受信側端末との間で共有するデータは、外部記憶手段に予め記憶することができる。外部記憶手段は、通信回線に接続されており、送信制御手段は、外部記憶手段を識別する識別子を予め記憶する。送信制御手段は、受信側端末との接続中に識別子を受信側端末へ送信すると、受信側端末は、識別子を受信する。このため、送信側端末及び受信側端末に、共有するデータが記憶された場所を示す識別子に応じてデータを参照することを促すことができる。従って、外部記憶手段に予めデータを記憶すれば、送信側端末及び受信側端末双方の端末における記憶部の記憶容量を確保することができる。
【００１４】
前記送信側端末は、前記共有するデータを表示するための表示手段をさらに備えることができる。送信側端末は、表示手段を備えることができ、共有するデータを表示手段に表示することができる。このため、送信側端末において、受信側端末と共有するデータを視認可能に提供することが可能となる。また、受信側端末に表示手段を備えるようにすれば、送信側端末及び受信側端末双方において、同時に共有するデータを閲覧することが可能となる。
【００１５】
本発明の受信側端末は、請求項１乃至請求項４の何れか１項に記載の送信側端末と接続するための受信側端末において、前記送信側端末との間に通信回線を介する接続関係を構築する受信側接続手段と、前記格納情報を受信する受信手段と、前記受信手段により受信した格納情報に基づいて、前記送信側端末と共有するデータを生成すると共に、生成されたデータを提示する提示手段と、を備えたことを特徴としている。
【００１６】
本発明の受信側端末は、受信側接続手段を備えており、送信側端末との間に通信回線を介して接続関係を構築する。受信側接続手段によって、受信側端末は、送信側端末と音声による通話が可能となる。受信手段は、送信側端末から送信された格納情報を受信する。提示手段は、受信手段により受信した格納情報に基づいて、送信側端末と共有するデータを生成する。共有するデータは、格納情報に応じて得られる。例えば、識別子に応じて外部記憶手段へアクセスすることによって生成される。また、提示手段は、生成された共有するデータを提示する。
【００１７】
このため、受信側端末は、送信側端末によって指示された共有データを、送信側端末との接続中、すなわち音声による通話中に提示することができ、データを共有することができる。
【００１８】
本発明の情報共有システムは、請求項１乃至請求項４の何れか１項に記載の送信側端末と、請求項５に記載の受信側端末と、前記送信側端末と前記受信側端末とを接続する通信回線と、から構成されることを特徴とする。
【００１９】
本発明の情報共有システムは、前記送信側端末と、前記受信側端末と、送信側端末と受信側端末とを接続する通信回線と、から情報共有システムを構成することで、通信回線を介して送信側端末と受信側端末との間で共有するデータを送受信することができるので、通信回線に接続された任意の装置に共有するデータを記憶するとともに、この任意の装置を識別するための識別子を送信側端末へ予め記憶すれば、通信回線に接続された多種多様な装置に格納されたデータを共有データとして受信側端末及び送信側端末へ提供することが可能となる。
【００２０】
【発明の実施の形態】
本実施の形態の情報共有システムに係る一の実施の形態を図面に基づき説明する。本実施の形態は、無線または有線で通信回線に接続可能なネットワーク・システム（以下、情報共有システム）に本発明を適用したものである。
【００２１】
図１には本実施形態に係る情報共有システムの構成を模式的に示した。本実子の形態では、情報共有システム１０は、通信媒体として、インターネットやその他のネットワークとしてのＬＡＮ（Ｌｏｃａｌ    Ａｒｅａ    Ｎｅｔｗｏｒｋ）で代表される通信回線１２、及び各地域の電話会社が構築、提供する公衆電話網などで代表される通信網１４を含んで構成される。通信網１４の一例には、各種形式の無線電話網がある。通信回線１２と通信網１４とは、図示を省略したゲート・ウェイ（中継装置）によって相互接続されている。
【００２２】
通信網１４には、携帯電話などの携帯端末に対するデータの送受信機能を有する基地局１８が備えられている。これによって、携帯端末２０および携帯端末２２は、互いに通信網１４を介して音声データ授受（以下、通話処理という）が可能となる。また、携帯端末２０および携帯端末２２は、基地局１８及び通信網１４を介して通信回線１２への参加が可能となる。通信回線１２には、情報配信装置１６が接続されている。このため、携帯端末２０及び携帯端末２２は、通信網１４及び通信回線１２を介して、情報配信装置１６と互いにデータの授受が可能な構成となっている。
【００２３】
携帯端末２０及び携帯端末２２は、主に、互いに通信網１４を介して通話処理を行うとともに、通話処理中に互いに共通のコンテンツ（詳細後述）を各々の携帯端末を使用するユーザに対して提供するためのものである。コンテンツには、例えば、静止画像や、動画像の画像データ、音声データ、及びテキストデータ等がある。
【００２４】
携帯端末２０及び携帯端末２２には、各々パーソナル・コンピュータ（以下、ＰＣという）４４及びＰＣ４６がデータの授受可能にケーブルを介して接続されている。ＰＣ４４及びＰＣ４６は、各々携帯端末２０及び携帯端末２２に表示するコンテンツを格納するためのものである（詳細後述）。
【００２５】
情報配信装置１６は、情報配信装置１６を所有している情報配信者と予め情報配信契約を結んだユーザに関する情報（詳細後述）及び、ユーザによって予め登録された多種多様なコンテンツを記憶するためのものである。
【００２６】
携帯端末２０は、通信部２４、表示部２６、操作部２７及び記憶部２８を備えている。通信部２４は、外部と通信するためのインターフェース機能部である。表示部２６は、主に、各種入力画面やコンテンツの画像を表示するためのものである。操作部２７は、各種指示を入力するためのものである。操作部２７の一例には、テンキー等がある。なお、図示は省略するが、携帯端末２０には、ＣＰＵ、ＲＯＭ、ＲＡＭ、及び入出力ポートがバスを介して互いに接続され、上記通信部２４、表示部２６、操作部２７及び記憶部２８を含む各種入出力部が入出力ポートに接続されて構成されており、互いにデータやコマンドの授受が可能な構成となっている。なお、携帯端末２０には、図示は省略するが、デジタルスチルカメラ等と同様の機能を有する撮像部を含むようにしてもよい。
【００２７】
記憶部２８は、後述する処理ルーチン、及び各種データを記憶するためのものであり、ユーザ情報テーブル３０及びコンテンツテーブル３２を含んで構成される。
【００２８】
ユーザ情報テーブル３０は、携帯端末２０から通信網１４を介して音声データを送受信する宛先、すなわち通話先を示す情報としての宛先情報と、該宛先情報を識別可能な識別番号とを対応づけて格納するためのものである。宛先情報の１例には、メールアドレスや電話番号等がある。本実施の形態では、宛先情報は、予めユーザ情報テーブル３０に記憶されているものとして説明する。具体的には、携帯端末２０及び携帯端末２２の電話番号が、各々の電話番号を識別可能な識別番号に関連づけて記憶されているものとする。
【００２９】
コンテンツテーブル３２は、ユーザによって予め登録された多種多様なコンテンツ、各コンテンツの属性を示すコンテンツ名、各々のコンテンツを識別可能なコンテンツＩＤ、及び各々のコンテンツに関連する識別番号を関連づけて格納するためのものである。なお、各々のコンテンツに関連する識別番号は、１つのコンテンツに対して複数関連付けることが可能である。具体的には、複数のユーザが含まれる集合写真等の静止画像のコンテンツには、該静止画像に含まれるすべてのユーザ各々が使用する携帯端末の識別番号を関連づけて記憶することができる。
【００３０】
コンテンツテーブル３２への各種データの登録は、例えば、携帯端末２０の図示を省略した撮像部によって得られた撮影画像の画像データや、ＰＣ４４を介して入力された画像データ等のコンテンツを、ユーザの操作部２７の操作によって入力されたコンテンツ名及び識別番号とともに、コンテンツテーブル３２へ格納することによって登録されるようにすればよい。なおコンテンツＩＤは、自動的に付与されるようにすればよい。
【００３１】
携帯端末２２は、通信部３４、表示部３６、操作部３７及び記憶部３８を備えている。なお、図示は省略するが、携帯端末２２には、ＣＰＵ、ＲＯＭ、ＲＡＭ、及び入出力ポートがバスを介して互いに接続され、上記通信部３４、表示部３６、操作部３７、及び記憶部３８を含む各種入出力部が入出力ポートに接続されて構成されており、互いにデータやコマンドの授受が可能な構成となっている。記憶部３８は、ユーザ情報テーブル４０及びコンテンツテーブル４２を含んで構成されている。なお、携帯端末２２は、携帯端末２０と同様の構成のため、詳細な説明を省略する。また、本実施の形態では、ユーザ情報テーブル４０及びコンテンツテーブル４２には、各々ユーザ情報テーブル３０及びコンテンツテーブル３２と同一のデータが格納されているものとして説明する。
【００３２】
ＰＣ４４及びＰＣ４６は、各々図示を省略したＣＰＵ、ＲＯＭ、ＲＡＭ、及び入出力ポートがバスを介して互いに接続され、各種入出力機器が入出力ポートに接続されて構成されており、互いにデータやコマンドの授受が可能な構成となっている。各種入出力機器には、ＣＲＴ等のディスプレイ、マウス、キーボード等がある。
【００３３】
情報配信装置１６は、ＰＣ４８及び記憶部５０を備えている。ＰＣ４８は、通信回線１２及び通信網１４を介して携帯端末２０及び携帯端末２２とデータ授受するための通信インターフェース５２を含んで構成されている。なお、図示は省略するが、ＰＣ４８は、ＣＰＵ、ＲＯＭ、ＲＡＭ、及び入出力ポートがバスを介して互いに接続され、各種周辺機器が入出力ポートに接続された構成とされている。周辺機器としては、キーボード、ディスプレイ等がある。記憶部５０は、ＰＣ４８に接続されており、ユーザ情報テーブル５４及びコンテンツテーブル５６を含んで構成されている。
【００３４】
本実施の形態では、ユーザ情報テーブル５４及びコンテンツテーブル５６には、ユーザ情報テーブル３０及びコンテンツテーブル３２と同一のデータが格納されているものとして説明する。コンテンツテーブル５６への各種データの登録は、例えば、携帯端末２０または携帯端末２２からコンテンツを含む各種データを、情報配信装置１６へアップロードすることによって行われるようにすればよい。また、ＰＣ４４及びＰＣ４６を通信回線１２に接続可能とし、ＰＣ４４またはＰＣ４６からコンテンツを含む各種データが、情報配信装置１６へアップロードされるようにしてもよい。
【００３５】
なお、本実施の形態では、携帯端末２０、携帯端末２２及び情報配信装置１６を各々１台ずつ通信回線１２に接続する場合を説明するが、さらに複数の携帯端末、及び情報配信装置を接続することも可能である。
【００３６】
なお、上記携帯端末２０は、本発明の送信側携帯端末に相当し、携帯端末２２は、受信側携帯端末に相当する。また、通信回線１２及び通信網１４は、通信回線に相当する。また、通信部２４は、本発明の送信側接続手段に相当し、記憶部２８は、記憶手段に相当する。また、情報配信装置１６は、本発明の外部記憶手段に相当する。また、表示部２６は、本発明の表示手段に相当する。また、通信部３４は、受信側接続手段及び受信部に相当する。
【００３７】
次に、上記実施の形態の作用を図面を参照して説明する。図２には、携帯端末２０で実行される処理ルーチンを示した。
【００３８】
なお、本実施の形態では、携帯端末２０と携帯端末２２との間で通話処理がなされる場合を説明する。
【００３９】
本実施の形態では、説明を簡略化するために、本発明の送信側携帯端末を携帯端末２０とし、受信側携帯端末を携帯端末２２として説明する。なお、上記対応に限られるものではなく、送信側携帯端末を携帯端末２２とし、受信側携帯端末を携帯端末２０とすることも可能である。
【００４０】
送信側の携帯端末２０では、図示を省略した電源スイッチにより携帯端末２０に電源が投入されるとステップ１００へ進み、通話開始指示がなされるまで否定判断を繰り返す。ステップ１００の判断は、操作部２７からの通話開始指示を示す信号の入力を判別することによって判断可能である。
【００４１】
例えば、携帯端末２０に電源が投入されると、ユーザ情報テーブル３０に格納された識別番号一覧を表示部２６に表示する。次に、ユーザによる操作部２７の選択指示のための予め定められたキーの押圧操作により識別番号が選択された後に、実行指示のための予め定められたキーが押圧操作されると、特定の識別番号を示す信号が出力されるようにする。この識別番号の入力を判別することによって、通話開始指示の判断が可能である。本実施の形態では、携帯端末２２の識別番号を示す信号が出力されるものとする。
【００４２】
ステップ１００で肯定されると、ステップ１０２へ進み、携帯端末２２と通信部２４及び通信網１４を介して音声データの授受を行う通話処理が開始される。ステップ１０２の処理は、具体的には、まず、携帯端末２２へ通話処理を要求する要求信号を送信する。この要求信号は、ユーザ情報テーブル３０から、上記ステップ１００で出力された識別番号に対応する宛先情報に応じて送信される。次に、送信した要求信号に対する返信信号を携帯端末２２から受信すると、携帯端末２０及び携帯端末２２の間で通話処理が開始される。
【００４３】
次にステップ１０４では、コンテンツ共有指示がなされたか否かを判断する。コンテンツ共有指示とは、上記ステップ１０２の処理によって、通話処理が開始された携帯端末２２と、静止画像や動画像等のコンテンツの画像を互いの携帯端末の表示部に（表示部２６及び表示部３６）表示して、同一のコンテンツの共有を行うことを指示するためのものである。ステップ１０４の判断は、ユーザによる操作部２７の押圧指示によるコンテンツ共有指示を示す信号の入力を判別することで判断可能である。
【００４４】
このコンテンツ共有指示を示す信号の入力は、例えば、表示部２６にコンテンツ共有指示項目を含むメニュー項目を表示し、表示されたメニュー項目の中から操作部２７の予め定められたキーの押圧操作によって入力されるコンテンツ共有指示を示す信号入力を判別することによって判断可能である。なお、コンテンツ共有指示項目を含むメニュー項目は、上記ステップ１０２の通話処理が開始されると、表示部２６に表示されるようにすればよい。
【００４５】
ステップ１０４で否定されると、ステップ１１６へ進み、肯定されるとステップ１０６へ進む。ステップ１０６では、携帯端末２２の識別番号に関連するコンテンツ名一覧をコンテンツテーブル３２から検索する検索処理が実行される。次にステップ１０８において、上記ステップ１０６で検索したコンテンツ名一覧を表示部２６に表示する。ステップ１０８の処理によって、例えば、表示部２６には、集合写真、風景静止画像、及び集合写真動画像等のコンテンツ名一覧が表示される。
【００４６】
次にステップ１１０では、上記ステップ１０８で表示部２６に表示されたコンテンツ名一覧の中から、ユーザの操作部２７の操作指示によって特定のコンテンツ名の選択指示がなされるまで否定判断を繰り返し、肯定されるとステップ１１２へ進む。ステップ１１０の判断は、上記ステップ１０８のコンテンツ名一覧表示中に入力されるユーザによる操作部２７の選択指示のための予め定められたキーの押圧操作による、特定のコンテンツ名の選択指示を示す信号を判別することによって判断可能である。
【００４７】
ステップ１１２では、上記ステップ１１０で入力されたコンテンツ名に応じたコンテンツＩＤをコンテンツテーブル３２から特定し、通信部２４を介して携帯端末２２へ送信する。
【００４８】
次にステップ１１４では、コンテンツテーブル３２から上記ステップ１１０で入力されたコンテンツ名のコンテンツの画像を表示部２６に表示する。ステップ１１４の処理によって、携帯端末２２との通話処理中に、携帯端末２２へ送信したコンテンツＩＤに対応するコンテンツの画像を表示部２６へ表示することができる。
【００４９】
次にステップ１１６では、通話終了指示がなされたか否かを判断する。ステップ１１６の判断は、ユーザによる操作部２７の予め定められた通話処理終了を示すキーの押圧操作による信号の入力を判別することによって判断可能である。ステップ１１６で否定されると上記ステップ１０４へ戻り、上記ステップ１０４乃至ステップ１１４の処理を繰り返し、肯定されると本ルーチンを終了する。
【００５０】
なお、上記ステップ１００及びステップ１０２の処理は、本発明の送信側接続手段の機能に相当する。また、上記ステップ１１０の処理は、本発明の指示手段の機能に相当し、上記ステップ１１２の処理は、送信制御手段の機能に相当する。また、ステップ１１４の処理は、表示手段の機能に相当する。
【００５１】
次に、受信側の携帯端末２２の作用について説明する。
【００５２】
携帯端末２２では、所定時間毎に図３に示す処理ルーチンが実行され、ステップ２００において、携帯端末２０から通話処理を要求する信号を受信するまで否定判断を繰り返し、肯定されるとステップ２０２へ進み、携帯端末２０と通信網１４及び通信部３４を介して音声データの授受を行う通話処理が開始される。
【００５３】
次にステップ２０４では、携帯端末２０から通信部３４を介して所定時間内にコンテンツＩＤを受信したか否かを判断し、否定されるとステップ２１０へ進み、肯定されるとステップ２０６へ進む。ステップ２０６では、上記ステップ２０４で受信したコンテンツＩＤに対応するコンテンツをコンテンツテーブル４２から検索し、次のステップ２０８において、検索したコンテンツの画像を表示部３６へ表示する。
【００５４】
ステップ２０８の処理によって、携帯端末２０との通話処理中に携帯端末２０から受信したコンテンツＩＤに対応するコンテンツの画像を表示部３６へ表示することができる。
【００５５】
次にステップ２１０では、通話終了指示がなされたか否かを判断する。ステップ２１０の判断は、ユーザによる操作部３７の予め定められた通話処理終了を示すキーの押圧操作による信号の入力を判別することによって判断可能である。ステップ２１０で否定されるとステップ上記２０４へ戻り、上記ステップ２０４乃至ステップ２０８の処理を繰り返し、肯定されると本ルーチンを終了する。
【００５６】
以上説明したように、本実施の形態の情報共有システム１０によれば、携帯端末２０と携帯端末２２との間の通話処理中に、一方の携帯端末から他方の携帯端末へコンテンツＩＤ送信するとともに、双方の携帯端末（携帯端末２０及び携帯端末２２）において、該コンテンツＩＤのコンテンツの画像を各々の表示部へ表示する。このため、携帯端末２０と携帯端末２２との間の通話処理中に、同一のコンテンツの画像を各々の携帯端末の表示部に表示することができ、通話中に同一のコンテンツを共有することが可能となる。
【００５７】
従って、携帯端末の通話処理における娯楽性を向上させることができるとともに、通話処理中に同一の画像を視認可能に表示することができるので、携帯端末のコミュニケーション機能としての効果をより向上することができる。
【００５８】
なお、上記ステップ２００乃至ステップ２０２の処理は、本発明の受信側接続手段の機能に相当する。また、上記ステップ２０６の処理は、本発明の受信手段の機能に相当し、ステップ２０８の処理は、提示手段の機能に相当する。
【００５９】
本実施の形態では、携帯端末２０及び携帯端末２２に予め同一のデータが格納されたコンテンツテーブル３２及びコンテンツテーブル４２が各々記憶されているものとして説明したが、コンテンツテーブルは、携帯端末２０、携帯端末２２、または情報配信装置１６（コンテンツテーブル５４）の何れか１箇所に記憶されるようにしてもよい。
【００６０】
例えば、情報共有システム１０において、携帯端末２０のみにコンテンツテーブル３２が記憶されている場合、上記ステップ１１２において、コンテンツを携帯端末２０から携帯端末２２へ送信すればよい。
【００６１】
また、情報配信装置１６のみにコンテンツテーブル５４が記憶されることも可能である。この場合、まず、携帯端末２０では、上記ステップ１０２の通話処理が開始された後、通話元の携帯端末２０及び通話先の携帯端末２２の識別情報を情報配信装置１６へ送信する。情報配信装置１６は、携帯端末２０及び携帯端末２２の識別情報を携帯端末２０から受信すると、コンテンツテーブル５６から携帯端末２０及び携帯端末２２双方の識別情報に該当するコンテンツの全てを特定し、特定したコンテンツを携帯端末２０及び携帯端末２２へ送信する。携帯端末２０及び携帯端末２２は、情報配信装置１６から受信したコンテンツの画像を各々表示部２６及び表示部３６に表示する。
【００６２】
なお、コンテンツテーブル５６に格納されるコンテンツＩＤは、複数格納されてもよく、この場合、各々のコンテンツＩＤに対応する各々のユーザの識別番号毎に優先順位を付与するようにしてもよい。この場合、携帯端末２０及び携帯端末２２間で通話処理が開始されると、情報配信装置１６から携帯端末２０及び携帯端末２２へ、コンテンツＩＤに付与された優先順位に応じてコンテンツを配信するようにしてもよい。
【００６３】
また、情報配信装置１６から携帯端末２０及び携帯端末２２へコンテンツに変えて情報配信装置１６のコンテンツの格納先を示すアドレス情報を携帯端末２０及び携帯端末２２へ送信してもよい。この場合、携帯端末２０及び携帯端末２２は、受信したアドレス情報に応じて情報配信装置１６へアクセスすることによって該当するコンテンツの画像を各々表示部２６及び表示部３６へ表示することが可能となる。なお、情報配信装置１６から通信回線１２を介して携帯端末２０及び携帯端末２２へデータを送信するには、例えば、携帯端末２０及び携帯端末２２の端末番号などのアドレス情報を予め情報配信装置１６に登録し、このアドレスを指定してデータを送信することによって送信されるようにすればよい。
【００６４】
また、本実施の形態では、上記ステップ１０４及びステップ１１０のユーザによる指示入力の判断により、ステップ１１２においてコンテンツＩＤが携帯端末２２へ送信される場合を説明したが、上記ステップ１０４及びステップ１１０のユーザによる指示入力の判断を省略することも可能である。この場合、上記ステップ１０２の通話処理が開始されると、ステップ１０６へ進み、予めユーザ情報テーブル３０に登録された携帯端末２２の識別番号に応じて、携帯端末２２に関連するコンテンツ一覧を検索した後にステップ１１２へ進み、コンテンツＩＤを携帯端末２２へ送信すればよい。これによって、携帯端末２０において通話処理が開始されると、ユーザの操作指示による信号入力を判断することなく、携帯端末２０と携帯端末２２との通話処理中に同一のコンテンツの画像が各々の表示部に表示され、携帯端末２０及び携帯端末２２間で通話処理中にコンテンツの共有を図ることができる。
【００６５】
なお、上記実施の形態では、コンテンツＩＤ及びコンテンツの送受信について説明したが、更に他なる種類のデータの送受信を付加してもよい。例えば、携帯端末２０及び携帯端末２２において通話処理が開始されると、情報配信装置１６から携帯端末２０及び携帯端末２２へ広告業者等が宣伝等のために配信する広告情報等が上記説明したコンテンツと同様に配信されるようにしてもよい。この場合、広告情報の配信に要する通信料金は、広告業者側に課金されるようにすればよい。
【００６６】
具体的には、コンテンツテーブル５６のコンテンツＩＤに対応付けて、予め広告情報を格納するとともに、携帯端末２０及び携帯端末２２の通話時間を記憶部５０に記憶する。携帯端末２０及び携帯端末２２において、通話処理が開始され、情報配信装置１６から広告情報が携帯端末２０及び携帯端末２２へ配信されると、通話処理時間または広告表示時間に応じた課金がなされるように課金情報を広告情報に関連づけて記憶すればよい。
【００６７】
なお、上記実施の形態では、コンテンツＩＤは、ユーザの操作部２７による指示入力、または携帯端末２０及び携帯端末２２の識別番号に応じてコンテンツテーブル（３２、４２、または５６）を検索することによって特定する場合を説明したが、通話処理中に通信網１４を介して携帯端末２０及び携帯端末２２間で送信される音声データ（例えば会話に登場する人物や固有名詞など）を情報配信装置１６または携帯端末２０で音声認識することによって特定してもよい。この場合、コンテンツＩＤとコンテンツを示すキーワードとを関連づけて予め情報配信装置１６または携帯端末２０に記憶し、音声認識によって得られたデータに一致するキーワードを検索することによって、コンテンツＩＤを特定するようにすればよい。
【００６８】
また、本実施の形態では、携帯端末２０と携帯端末２２の各々の表示部２６及び表示部３６に静止画像や動画像等のコンテンツの画像を表示する場合を説明したが、コンテンツとしてＢＧＭや音楽等の音声情報を採用することも可能である。この場合、携帯端末２０及び携帯端末２２に、図示を省略したオーディオ装置等の情報再生機器を接続し、接続した情報再生機器にコンテンツを出力することによって、音声情報を情報再生機器で再生するようにすればよい。
【００６９】
また、本実施の形態では、携帯端末２０、携帯端末２２、及び情報配信装置１６に各々コンテンツテーブル３２、コンテンツテーブル４２、及びコンテンツテーブル５６を格納する場合を説明したが、これらのテーブルと同一のデータを格納したコンテンツテーブルをＰＣ４４及びＰＣ４６に設けるようにしてもよい。この場合、例えばＰＣ４４の図示を省略した表示部に、コンテンツテーブルからコンテンツ名一覧を表示し、ユーザによる予め定められた位置の押圧によってまたはタッチパネル方式での指定によって特定のコンテンツ名が選択されると、コンテンツ名に応じたコンテンツまたはコンテンツＩＤがコンテンツテーブルから特定されて、携帯端末２０を介して携帯端末２２へ送信されるようにする。携帯端末２２では、携帯端末２２に接続されたＰＣ４６にコンテンツを出力し、ＰＣ４６の図示を省略した表示部にコンテンツの画像を表示するようにしてもよい。
【００７０】
また、本実施の形態では、コンテンツの画像を表示部２６及び表示部３６へ表示する場合を説明したが、表示部２６及び表示部３６へのコンテンツの画像表示中に、ユーザによる予め定められ位置の押圧によって、該当コンテンツに予め関連づけられたデータが保存された情報提供業者等のサイトへアクセス可能としてもよい。
【００７１】
なお、本実施の形態の情報共有システム１０における、携帯端末２０と携帯端末２２との間の通話処理の形態は、音声データの授受による通話に限られるものではなく、画像データ、または文字データの授受による通信であってもよい。
【００７２】
また、本実施の形態では、携帯端末２０及び携帯端末２２は、携帯電話等の形態可能な端末であるものとして説明したが、このような形態に限られるものではなく、固定型の端末であってもよい。
【００７３】
【発明の効果】
以上説明したように本発明の送信側端末、受信側端末、及び情報共有システムによれば、送信側端末と受信側端末との間における通話中に、共有するデータ格納情報を送信側端末から受信側端末へ送信することができるので、通話中の端末間においてデータを共有することができる、という効果を有する。
【図面の簡単な説明】
【図１】本実施形態に係る情報共有システムの概略構成を示すイメージ図である。
【図２】送信側携帯端末の処理の内容を示すフローチャートである。
【図３】受信側携帯端末の処理の内容を示すフローチャートである。
【符号の説明】
１０    情報共有システム
２０    携帯端末
２２    携帯端末
２６    表示部
３０    ユーザ情報テーブル
３２    コンテンツテーブル
３６    表示部
４０    ユーザ情報テーブル
４２    コンテンツテーブル
５４    ユーザ情報テーブル
５６    コンテンツテーブル
【図１】
2004297250.tif 000005
【図２】
2004297250.tif 000006
【図３】
2004297250.tif 000007